【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
周期的に入力される同期信号の時間間隔と、目標値とを比較して、前記目標値との誤差を出力する比較手段と、
前記比較手段が出力する誤差に従って演算した画素クロック周波数の設定値に基づき、前記画素クロック周波数を指定する周波数指定信号を出力する周波数演算手段と、
前記周波数演算手段が出力する前記周波数指定信号に基づいて、前記画素クロック周波数の画素クロックを生成する画素クロック生成手段と、
を有することを特徴とする画素クロック生成装置。
【請求項２】
高周波クロックを生成する高周波クロック生成手段を有し、
前記画素クロック生成手段は、前記周波数演算手段が出力する前記周波数指定信号に基づく分周比で前記高周波クロックを分周して、前記画素クロック周波数の画素クロックを生成する、
ことを特徴とする請求項１記載の画素クロック生成装置。
【請求項３】
高周波クロックを生成する高周波クロック生成手段を有し、
当該高周波クロック生成手段は、前記高周波クロックを位相差Ｔｖずつ互いに位相をずらした多相クロックを生成するものであって、
前記多相クロックの位相差Ｔｖを単位時間とし、前記周波数指定信号を取得する毎に、前記単位時間の数を計数した基準信号を生成し、前記画素クロック生成手段に前記基準信号を出力する計数手段を有し、
前記画素クロック生成手段は、前記基準信号に基づき画素クロックを生成する、
ことを特徴とする請求項１記載の画素クロック生成装置。
【請求項４】
前記周波数演算手段は、
前記画素クロック生成手段が生成した画素クロック毎に、画素クロック単位で設定された前記画素クロック周波数の平均値からの差分を読み出して、該誤差に従って、前記画素クロック周波数の設定値を演算する、
ことを特徴とする請求項１記載の画素クロック生成装置。
【請求項５】
Ｎ回周期で変動する前記時間間隔のオフセット誤差値を除去して補正誤差を算出するオフセット誤差除去手段を備え、
前記周波数演算手段は、前記補正誤差に従って前記画素クロック周波数の設定値を演算する、
ことを特徴とする請求項１〜４いずれか１項記載の画素クロック生成装置。
【請求項６】
前記オフセット誤差除去手段は、
前記比較手段が算出した前記誤差の直近Ｎ回分の平均値を前記補正誤差とする、
ことを特徴とすることを特徴とする請求項５記載の画素クロック生成装置。
【請求項７】
前記オフセット誤差除去手段は、
前記比較手段によって算出された前記誤差の直近Ｎ回分の平均値を算出する誤差平均値算出手段と、
前記比較手段によって算出された前記誤差から、直近Ｎ回分の前記平均値を減じて、前記オフセット誤差値をＮ個算出して保持し、保持した前記Ｎ個の前記オフセット誤差値を同期信号毎に循環選択して出力するオフセット誤差算出手段とを備え、
前記比較手段によって算出された前記誤差から、前記オフセット誤差算出手段の出力する前記オフセット誤差値を減じて前記補正誤差を出力する、
ことを特徴とする請求項５記載の画素クロック生成装置。
【請求項８】
前記オフセット誤差除去手段は、
前記比較手段によって算出されたＮ回周期の前記誤差の何れか１つを基準誤差値として保持する基準誤差値算出手段と、
前記比較出手段によって算出された前記誤差から、前記基準誤差値を減ずることによって前記オフセット誤差値をＮ個算出して保持し、保持した前記Ｎ個の前記オフセット誤差値を同期信号毎に循環選択して出力するオフセット誤差算出手段とを備え、
前記比較手段によって算出された前記誤差から、前記オフセット誤差算出手段の出力する前記オフセット誤差値を減じて前記補正誤差を出力する、
ことを特徴とする請求項５記載の画素クロック生成装置。
【請求項９】
請求項１〜８いずれか１項記載の画像クロック生成装置と、
前記画素クロックに基づき画像データをパルス変調したパルス変調信号を生成する変調データ生成手段と、
前記パルス変調信号により光源を駆動する光源駆動手段と、
前記光源からの光を、回転軸の周りに設けられたＮ個の偏向反射面で反射するポリゴンミラーと、
前記ポリゴンミラーに前記光源から出力される光束を入射して偏向させることにより被走査媒体上に走査させる光走査手段と、
を有することを特徴とする画像形成装置。
【請求項１０】
複数の前記光源と、周期的に入力してくる同期信号を各光源に対応した同期信号に分離する検出信号分離手段と、を有し、
前記比較手段は、複数の前記光源毎に、周期的に入力してくる同期信号の時間間隔と、前記光源毎の目標値とをそれぞれ比較して、前記光源毎に前記目標値との誤差を出力し、
前記周波数演算手段は、前記光源毎に、前記比較手段が出力する複数の前記誤差に従って前記画素クロック周波数の前記設定値を演算し、演算した前記設定値に従って、前記光源毎に、前記画素クロック周波数を指定する周波数指定信号を生成し、
前記画素クロック生成手段は、前記光源毎に生成された前記周波数指定信号に基づいて、前記画素クロック周波数の前記画素クロックを生成する、
ことを特徴とする請求項９記載の画像形成装置。
【請求項１１】
比較手段が、周期的に入力される同期信号の時間間隔と、目標値とを比較して、前記目標値との誤差を出力するステップと、
周波数演算手段が、前記比較手段が出力する誤差に従って演算した画素クロック周波数の設定値に基づき、前記画素クロック周波数を指定する周波数指定信号を出力するステップと、
画素クロック生成手段が、前記周波数演算手段が出力する前記周波数指定信号に基づいて、前記画素クロック周波数の画素クロックを生成するステップと、
を有することを特徴とする画素クロック生成方法。
【請求項１２】
比較手段が、周期的に入力される同期信号の時間間隔と、目標値とを比較して、前記目標値との誤差を出力するステップと、
周波数演算手段が、前記比較手段が出力する誤差に従って演算した画素クロック周波数の設定値に基づき、前記画素クロック周波数を指定する周波数指定信号を出力するステップと、
画素クロック生成手段が、前記周波数演算手段が出力する前記周波数指定信号に基づいて、前記画素クロック周波数の画素クロックを生成するステップと、
変調データ生成手が、前記画素クロックに基づき画像データをパルス変調したパルス変調信号を生成するステップと、
光源駆動手段が、前記パルス変調信号により光源を駆動するステップと、
ポリゴンミラーが、前記光源からの光を、回転軸の周りに設けられたＮ個の偏向反射面で反射するステップと、
光走査手段が、前記ポリゴンミラーに前記光源から出力される光束を入射して偏向させることにより被走査媒体上に走査させるステップと、
を有することを特徴とする画像形成方法。
【手続補正２】
【補正対象書類名】明細書
【補正対象項目名】００２５
【補正方法】変更
【補正の内容】
【００２５】
上記課題に鑑み、本発明は、周期的に入力される同期信号の時間間隔と、目標値とを比較して、前記目標値との誤差を出力する比較手段と、前記比較手段が出力する誤差に従って演算した画素クロック周波数の設定値に基づき、前記画素クロック周波数を指定する周波数指定信号を出力する周波数演算手段と、前記周波数演算手段が出力する前記周波数指定信号に基づいて、前記画素クロック周波数の画素クロックを生成する画素クロック生成手段と、を有することを特徴とする画素クロック生成装置を提供する。